(57)【要約】      （修正有）【課題】カーテンウォール構成部材の設置後でも、カーテンウォール構成部材間に設置可能で、カーテンウォール構成部材への加工も簡単なカーテンウォール用補鋼材。【解決手段】  インサートナット１とインサートボルト２とロッド３とを備え、インサートナットは、カーテンウォール構成部材４ａに設けた貫通孔５内に一方側から挿入して配置する筒体で内周壁に雌ネジ部９を設けたものであり、インサートボルトは、カーテンウォール構成部材の貫通孔内に他方側から挿入する筒体で内周壁に雌ネジ部１３を設けたものであり、ロッドは、インサートナットの内周壁に設けた雌ネジ部に一方側からねじ込むインサートナットねじ込み用雄ネジ部１４と、インサートボルトの内周壁に設けた雌ネジ部に他方側からねじ込むものであってインサートナットねじ込み用雄ネジ部とは逆ネジのインサートボルトねじ込み用雄ネジ部１５と、両雄ネジ部間に位置する棒状部１６とを有する。【選択図】図１
2006097437.tif 000002
【特許請求の範囲】
【請求項１】
インサートナットと、インサートボルトと、ロッドとを備え、インサートナットは、カーテンウォール構成部材に設けた貫通孔内に一方側から挿入して配置する小径部と、カーテンウォール構成部材の一方側見込み壁に当接する大径部とを有する筒体であり、且つ内周壁に雌ネジ部を設けたものであり、インサートボルトは、カーテンウォール構成部材の貫通孔内に他方側から挿入しインサートナットの小径部内にねじ込む小径部と、カーテンウォール構成部材の他方側見込み壁に当接する大径部とを有する筒体であり、且つ内周壁に雌ネジ部を設けたものであり、ロッドは、インサートナットの内周壁に設けた雌ネジ部に一方側からねじ込むインサートナットねじ込み用雄ネジ部と、インサートボルトの内周壁に設けた雌ネジ部に他方側からねじ込むものであってインサートナットねじ込み用雄ネジ部とは逆ネジのインサートボルトねじ込み用雄ネジ部と、両雄ネジ部間に位置する棒状部とを有し、インサートナット及びインサートボルトの何れか一方の内周壁に設けた雌ネジ部の内径寸法はロッドの棒状部の外径寸法より大きく、且つこの雌ネジ部にねじ込むロッドの雄ネジ部の外径寸法はロッドの棒状部の外径寸法より大きく設定してあることを特徴とするカーテンウォール用補鋼材。
【請求項２】
インサートナットと、インサートボルトと、ロッドとを備え、インサートナットは、カーテンウォール構成部材に設けた貫通孔内に一方側から挿入して配置する小径部と、カーテンウォール構成部材の一方側見込み壁に当接する大径部とを有する筒体であり、且つ内周壁に雌ネジ部を設けたものであり、インサートボルトは、カーテンウォール構成部材の貫通孔内に他方側から挿入しインサートナットの小径部内にねじ込む小径部と、カーテンウォール構成部材の他方側見込み壁に当接する大径部とを有する筒体であり、且つ内周壁に雌ネジ部を設けたものであり、ロッドは、インサートナットの内周壁に設けた雌ネジ部に一方側からねじ込むインサートナットねじ込み用雄ネジ部と、インサートボルトの内周壁に設けた雌ネジ部に他方側からねじ込むものであってインサートナットねじ込み用雄ネジ部とは逆ネジのインサートボルトねじ込み用雄ネジ部と、両雄ネジ部間に位置する棒状部とを有し、インサートナット及びインサートボルトの内周壁に設けた雌ネジ部の内径寸法はロッドの棒状部の外径寸法より大きく、且つインサートナットねじ込み用雄ネジ部及びインサートボルトねじ込み用雄ネジ部の外径寸法はロッドの棒状部の外径寸法より大きく設定してあることを特徴とするカーテンウォール用補鋼材。
【発明の詳細な説明】
【技術分野】
【０００１】
本発明は、方立や無目等のカーテンウォール構成部材を相互に連結するカーテンウォール用補鋼材に関する。
【背景技術】
【０００２】
カーテンウォールにおいては、例えば特許文献１に記載されているように、左右に間隔をおいて設けた複数本の方立を補鋼材で相互に連結して補強する技術が知られている。同文献記載の補鋼材は、方立の中心部に設けた係止部に頭部を係止して雄ネジ部を方立の側面から突出させたボルト（被締結部材）と、両端部に雄ネジ部を形成したタイロッド本体と、ボルトの雄ネジ部とタイロッド本体の雄ネジ部とに両側から螺合するナットとで構成され、左右の方立をタイロッド本体で連結する際の手順は、まず図９（ａ）に示すように、左側の方立９１ａから突出させたボルトの雄ネジ部９２ａとタイロッド本体９３の左側端部の雄ネジ部９４ａをナット９５ａの両側に突き合わせた後、ナット９５ａを回すことで両雄ネジ部が互いに近付くようにナットに螺合してタイロッド本体９３の左側端部が左側の方立９１ａに連結され、次に図９（ｂ）に示すように、右側の方立９１ｂから突出させたボルトの雄ネジ部９２ｂとタイロッド本体の右側端部の雄ネジ部９４ｂをナット９５ｂの両側に突き合わせ、ナット９５ｂを回すことで両雄ネジ部が互いに近付くようにナットに螺合してタイロッド本体９３の右側端部が右側の方立９１ｂに連結される。左右何れかのナット９５ａ，９５ｂを締め付けたり緩めたりすれば、タイロッド本体９３の張力を調整できる。
【０００３】
以上のように構成した補鋼材は、左右の方立に連結して設置する作業を、方立を一本ずつ立設するのと同時に順次行う必要があり、全部の方立を立設した後に、補鋼材の取付けだけをまとめて行うことができず、施工上不便であった。また、部品点数が多いために施工が面倒である。さらに方立には、中心部にボルトを差し入れるための四角い窓を設け、両側面にボルトの雄ネジ部が貫通する長孔を設ける必要があり、方立の加工が面倒になっていた。
【特許文献１】特許第３４７９９７２号公報
【発明の開示】
【発明が解決しようとする課題】
【０００４】
本発明は以上に述べた実情に鑑みてなされたものであって、カーテンウォール構成部材を全部設置した後からでも、カーテンウォール構成部材間に容易に設置することができ、カーテンウォール構成部材への加工も簡単に済ませることのできるカーテンウォール用補鋼材の提供を目的とする。
【課題を解決するための手段】
【０００５】
上記の課題を達成するために請求項１記載の発明によるカーテンウォール用補鋼材は、インサートナットと、インサートボルトと、ロッドとを備え、インサートナットは、カーテンウォール構成部材に設けた貫通孔内に一方側から挿入して配置する小径部と、カーテンウォール構成部材の一方側見込み壁に当接する大径部とを有する筒体であり、且つ内周壁に雌ネジ部を設けたものであり、インサートボルトは、カーテンウォール構成部材の貫通孔内に他方側から挿入しインサートナットの小径部内にねじ込む小径部と、カーテンウォール構成部材の他方側見込み壁に当接する大径部とを有する筒体であり、且つ内周壁に雌ネジ部を設けたものであり、ロッドは、インサートナットの内周壁に設けた雌ネジ部に一方側からねじ込むインサートナットねじ込み用雄ネジ部と、インサートボルトの内周壁に設けた雌ネジ部に他方側からねじ込むものであってインサートナットねじ込み用雄ネジ部とは逆ネジのインサートボルトねじ込み用雄ネジ部と、両雄ネジ部間に位置する棒状部とを有し、インサートナット及びインサートボルトの何れか一方の内周壁に設けた雌ネジ部の内径寸法はロッドの棒状部の外径寸法より大きく、且つこの雌ネジ部にねじ込むロッドの雄ネジ部の外径寸法はロッドの棒状部の外径寸法より大きく設定してあることを特徴とする。
【０００６】
請求項２記載の発明によるカーテンウォール用補鋼材は、インサートナットと、インサートボルトと、ロッドとを備え、インサートナットは、カーテンウォール構成部材に設けた貫通孔内に一方側から挿入して配置する小径部と、カーテンウォール構成部材の一方側見込み壁に当接する大径部とを有する筒体であり、且つ内周壁に雌ネジ部を設けたものであり、インサートボルトは、カーテンウォール構成部材の貫通孔内に他方側から挿入しインサートナットの小径部内にねじ込む小径部と、カーテンウォール構成部材の他方側見込み壁に当接する大径部とを有する筒体であり、且つ内周壁に雌ネジ部を設けたものであり、ロッドは、インサートナットの内周壁に設けた雌ネジ部に一方側からねじ込むインサートナットねじ込み用雄ネジ部と、インサートボルトの内周壁に設けた雌ネジ部に他方側からねじ込むものであってインサートナットねじ込み用雄ネジ部とは逆ネジのインサートボルトねじ込み用雄ネジ部と、両雄ネジ部間に位置する棒状部とを有し、インサートナット及びインサートボルトの内周壁に設けた雌ネジ部の内径寸法はロッドの棒状部の外径寸法より大きく、且つインサートナットねじ込み用雄ネジ部及びインサートボルトねじ込み用雄ネジ部の外径寸法はロッドの棒状部の外径寸法より大きく設定してあることを特徴とする。
【発明の効果】
【０００７】
請求項１記載の発明によるカーテンウォール用補鋼材は、インサートナット及びインサートボルトの何れか一方をロッドの棒状部に位置させてカーテンウォール構成部材間に配置することで、カーテンウォール構成部材を先に全部設置した後から、各カーテンウォール構成部材間の隙間に容易に取付けできる。また本発明の補鋼材は、ロッドのインサートボルトねじ込み用雄ネジ部がインサートナットねじ込み用雄ネジ部とは逆ネジになっているので、取付けたロッドを一方向に回すとロッドの両雄ネジ部がインサートナットとインサートボルトの雌ネジ部にねじ込まれてゆき、ロッドに張力を与えることができ、ロッドを反対に回せばロッドの両雄ネジ部がインサートナットとインサートボルトの雌ネジ部から抜けてゆき、ロッドの張力を減ずることができる。
また本発明の補鋼材を取付けるために、カーテンウォール構成部材には貫通孔さえ開ければよいので、カーテンウォール構成部材への加工が簡単で済む。
さらに本発明の補鋼材でロッドは、端面と両端の雄ネジ部がインサートナットとインサートボルトの内部に挿入され、外部に露出するのは棒状部のみとなるため、意匠的にも良好である。
【０００８】
請求項２記載の発明によるカーテンウォール用補鋼材は、インサートナットとインサートボルトが両方ともロッドの棒状部に移動させることができ、どちらか一方を棒状部に移動した状態でカーテンウォール構成部材間に配置することで、カーテンウォール構成部材を先に全部設置した後で、各カーテンウォール構成部材間にどちら側からでも容易に取付けできる。また、ロッドを各カーテンウォール構成部材間に取付けた後で、ロッド両端の雄ネジ部に螺合したインサートナットとインサートボルトを緩めて棒状部に移動させれば、中間のロッドを一本だけ取り外すこともできる。また本発明の補鋼材を取付けるために、カーテンウォール構成部材には貫通孔さえ開ければよいので、カーテンウォール構成部材への加工が簡単で済む。
また請求項１記載のものと同じように、ロッドのインサートボルトねじ込み用雄ネジ部がインサートナットねじ込み用雄ネジ部とは逆ネジになっているので、取付けたロッドを一方向に回すとロッドの両雄ネジ部がインサートナットとインサートボルトの雌ネジ部にねじ込まれてゆき、ロッドに張力を与えることができ、ロッドを反対に回せばロッドの両雄ネジ部がインサートナットとインサートボルトの雌ネジ部から抜けてゆき、ロッドの張力を減ずることができる。
さらにロッドは、端面と両端の雄ネジ部がインサートナットとインサートボルトの内部に隠れ、棒状部のみが露出するため、意匠的にも良好である。
【発明を実施するための最良の形態】
【０００９】
以下、本発明の実施の形態を図面に基づいて説明する。図８は、カーテンウォールの正面図であり、カーテンウォールは、複数本の方立４を左右方向に間隔をおいて鉛直に立設し、方立４の上端部と下端部及び中間部に無目１７を架設し、方立４と無目１７とで形成される各枠内にガラスパネル１８を支持してある。方立４は、図６に示すように、室内側に配置したスチールのフラットバーからなるスチール方立４ａと、スチール方立の室外側面に連結したアルミニウム合金の押出形材からなるアルミ方立４ｂ，４ｃ，４ｄとで構成してある。スチール方立４ａは、図７に示すように、上端部と下端部が建物の躯体１９に固定具２０で固定してあり、中間部の３箇所でスチール方立４ａ同士を補鋼材２１で横に連結してあり、補鋼材のロッド３が張力を持ってスチール方立４ａを相互に連結することで、スチール方立４ａのたわみを抑制している。アルミ方立は、図６に示すように、係合連結する三つの部材４ｂ，４ｃ，４ｄで構成してあり、まん中の部材４ｃと室外側の部材４ｄとでガラスパネル１８の側縁部を挟持している。
【００１０】
補鋼材２１は、図１と図２に示すように、インサートナット１と、インサートボルト２と、ロッド３とからなる。
インサートナット１は、スチール方立４ａに形成した貫通孔５内に右側から挿入して配置する小径部６と、スチール方立４ａの右側の見込み壁７に当接する大径部８とを有する筒体であり、内周壁には大径部８側の端面より、サイズがＭ２４の左ネジの雌ネジ部９が設けてあり、内周壁の小径部６側の端面からはサイズがＭ３３（細目）の右ネジの雌ネジ部２２が設けてある。大径部８の外周には、図３（ｂ）に示すように、インサートナット１を工具で回す際に工具を引っ掛けるためのキリ穴２３を等配の位置に四つ形成してある。
インサートボルト２は、スチール方立４ａの貫通孔５内に左側から挿入し、インサートナット小径部６の先端側の雌ネジ部２２にねじ込む小径部１０と、スチール方立４ａの左側の見込み壁１１に当接する大径部１２とを有する筒体であり、内周壁にはサイズがＭ２４の右ネジの雌ネジ部１３が形成してある。小径部１０の外周には、サイズがＭ３３（細目）の右ネジの雄ネジ部２４が設けてある。大径部１２の外周には、図３（ａ）に示すように、工具を引っ掛けるための三つのキリ穴２３と、セットネジ２５用の一つの雌ネジ孔２６を等配の位置に形成してある。
インサートナット１及びインサートボルト２は、大径部８，１２の外径寸法Ｄ１，Ｄ２が５５ｍｍで同一となっており、大径部８，１２の見付け寸法ｈ１，ｈ２は１０ｍｍで同一である。大径部の見付け寸法ｈ１，ｈ２は、スチール方立４ａの見付け寸法Ｈ（４５ｍｍ）よりも小さくなっている。
【００１１】
ロッド３は、インサートナット１の内周壁の大径部８側の雌ネジ部９に右側からねじ込むインサートナットねじ込み用雄ネジ部１４を左側の端部に備え、インサートボルト２の内周壁の雌ネジ部１３に左側からねじ込むインサートボルトねじ込み用雄ネジ部１５を右側の端部に備え、両雄ネジ部間に棒状部１６を有している。インサートナットねじ込み用雄ネジ部１４はサイズがＭ２４の左ネジであり、インサートボルトねじ込み用雄ネジ部１５は、サイズがＭ２４の右ネジとなっている。棒状部１６の外径寸法ｄ３は、インサートナット１及びインサートボルト２のロッド端部ねじ込み用の雌ネジ部９，１３の内径寸法ｄ１，ｄ２よりも僅かに小さくなっている。言い換えると、インサートナット１及びインサートボルト２の雌ネジ部９，１３の内径寸法ｄ１，ｄ２が棒状部１６の外径寸法ｄ３より大きくなっている。また、インサートナットねじ込み用雄ネジ部１４の外径寸法ｄ４及びインサートボルトねじ込み用雄ネジ部１５の外径寸法ｄ５は、棒状部１６の外径寸法ｄ３よりも大きくなっている。棒状部１６には、スパナを掛けてロッド３を回すために平行面部２７を設けてある。ロッド３の全長は、そのロッド３が取り付けられる左右のスチール方立４ａ，４ａ間の隙間の寸法よりも少し長くなっている。
【００１２】
次に、本補鋼材の施工手順を図４に即して説明する。ここでは、複数本のスチール方立４ａを先に全部立設した後、左端のスチール方立から右側のスチール方立に向かって、スチール方立４ａ同士を補鋼材で順番に連結していく場合について説明する。まず図４（ａ）に示すように、左端のスチール方立４ａの貫通孔５に右側からインサートナット１の小径部６を、左側からインサートボルト２の小径部１０を挿入し、インサートナット１又はインサートボルト２を右回りに工具で回転させ、インサートボルト２の小径部１０の雄ネジ部２４をインサートナット小径部６内の雌ネジ部２２に螺合させ、お互いの大径部８，１２でスチール方立４ａを両側から挟むようにして固定する。次に図４（ｂ）に示すように、インサートボルト２をロッド３のインサートボルト雄ネジ部１５にねじ込ませ、さらにインサートボルト２を螺進して雄ネジ部１５を超えて棒状部１６にまで移動させた後、インサートボルトねじ込み用雄ネジ部１５を右側のスチール方立４ａの貫通孔５に差し込んで、ロッド３を左右のスチール方立４ａ間に配置する。次に図４（ｃ）に示すように、ロッド３を後退させて左回りに回転させ、ロッドのインサートナットねじ込み用雄ネジ部１４をインサートナット１の雌ネジ部９に螺合させる。次に図４（ｄ）に示すように、インサートボルト２を右側に移動させると共に右回りに回転させ、インサートボルトねじ込み用雄ネジ部１５にインサートボルトの雌ネジ部１３を螺合し且つインサートボルト２の大径部１２をスチール方立４ａの左側の見込み壁１１に当接する。次に図４（ｅ）に示すように、右側のスチール方立４ａの貫通孔５に右側からインサートナット１の小径部６を挿入し、インサートナット１を右回りに回転して締め付け、インサートナット小径部側の雌ネジ部２２にインサートボルト小径部の雄ネジ部２４をねじ込ませる。このとき、ロッドのインサートボルトねじ込み用雄ネジ部１５が右ネジ、インサートナットねじ込み用雄ネジ部１４が左ネジとなっているため、当該各ねじが緩むことなくしっかりとインサートナット１を締め付けることができる。その後でロッド３を回転させてロッド３の張力を調整する。ロッド３を図４の右側から見て左回りに回せば、インサートボルト２とインサートナット１が互いに近付く方向に移動するために張力が増大し、反対にロッド３を右回りに回せばインサートボルト２とインサートナット１が離間する方向に移動するために張力が減少する。張力の調整が終れば、インサートボルト大径部１２に設けた雌ネジ孔２６にセットネジ２５をねじ込み、ロッド３が回らないように固定する。後は、上述の図４（ｂ）から図４（ｅ）の手順を繰り返し行うことで、全てのスチール方立４ａを左から順番に補鋼材２１で連結することができる。なおロッド３の張力の調整は、全てのロッド３を取付けた後で行ってもよい。
【００１３】
本補鋼材２１は、右端のスチール方立４ａから左側のスチール方立４ａに向かって順番に連結していくこともできる。その場合は、上述の図４（ｂ）の過程で、インサートナット１をロッドの棒状部１６に挿通した状態で、ロッド３を左右のスチール方立４ａ間に配置すればよい。もちろん、インサートナット１とインサートボルト２を左右逆にしてスチール方立４ａに取付けてもよい。
【００１４】
本補鋼材２１は、以上に述べたように、スチール方立４ａを先に全部立設した後からスチール方立４ａを連結できるので、スチール方立４ａの施工、補鋼材２１の施工を別々に効率良く行うことができる。また本補鋼材２１は、部品点数が少なく施工が容易であり、また、スチール方立４ａに貫通孔５を開けるだけで取付でき、スチール方立４ａの加工が容易である。さらに本補鋼材２１は、インサートナット１とインサートボルト２の大径部８，１２と、ロッド３の棒状部１６しか外部に露出せず外観が良好であり、本実施形態のようにインサートナット１とインサートボルト２の大径部８，１２の見付け寸法ｈ１，ｈ２を同一とし、且つその大径部の見付け寸法ｈ１，ｈ２をスチール方立４ａの見付け寸法Ｈよりも小さくしたときには、スチール方立４ａに対して意匠が左右対称となり、スチール方立４ａから飛び出る部分も少なくなるので、外観がより一層良好となる。
【００１５】
本発明の補鋼材は、インサートナット１とインサートボルト２の何れか一方を、図４（ｂ）に示すようにロッド３の棒状部１６に移動できれば施工可能であり、そのためにはインサートナット１とインサートボルト２の何れか一方の内周壁に設ける雌ネジ部９，１３の内径寸法ｄ１，ｄ２が、ロッド３の棒状部１６の外径寸法ｄ３よりも大きければよい。ただし実施形態のように、インサートナット１とインサートボルト２の内周壁の雌ネジ部９，１３の内径寸法ｄ１，ｄ２を両方とも棒状部１６の外径寸法ｄ３よりも大きくしたときには、スチール方立４ａを右側からでも左側からでも連結できるし、図５に示すように、ロッド３両端の雄ネジ部１４，１５に螺合したインサートナット１とインサートボルト２を緩めてロッド３の棒状部１６に移動させることで、中間のロッド３を一本だけ取り外して交換することもでき、メンテナンス等を行う上で都合が良い。なお、取付け状態でのロッドとロッドの間の隙間ｓ（図１参照）が小さく、そのようにインサートナット１とインサートボルト２を棒状部１６に移動させただけでは、中間のロッド３が左右のスチール方立４ａの貫通孔５から外れない場合は、右側ないし左側に位置するロッド３を外側に移動させたりすれば、中間のロッド３だけを外すことができる。
【００１６】
本発明の補鋼材は以上に述べた実施形態に限定されない。補鋼材により連結するカーテンウォール構成部材は、方立に限らず無目であってもよい。
【図面の簡単な説明】
【００１７】
【図１】本発明のカーテンウォール用補鋼材の組み立てた状態での縦断面図である。
【図２】本発明のカーテンウォール用補鋼材の分解した状態での縦断面図である。
【図３】（ａ）は、インサートボルトを小径部側から見た図であり、（ｂ）は、インサートナットを小径部側から見た図である。
【図４（ａ）（ｂ）（ｃ）（ｄ）（ｅ）】本発明のカーテンウォール用補鋼材の施工手順を順に示す図である。
【図５】施工後に中間のロッドを取り外すときの様子を示す正面図である。
【図６】カーテンウォールの横断面図である。
【図７】カーテンウォールの縦断面図である。
【図８】カーテンウォールの正面図である。
【図９（ａ）（ｂ）】従来のカーテンウォール用補鋼材の構造と施工方法を示す正面図である。
【符号の説明】
【００１８】
１  インサートナット
２  インサートボルト
３  ロッド
４ａ  スチール方立（カーテンウォール構成部材）
５  貫通孔
６  インサートナットの小径部
７  一方側見込み壁
８  インサートナットの大径部
９  インサートナットの雌ネジ部
１０  インサートボルトの小径部
１１  他方側見込み壁
１２  インサートボルトの大径部
１３  インサートボルトの雌ネジ部
１４  インサートナットねじ込み用雄ネジ部
１５  インサートボルトねじ込み用雄ネジ部
１６  棒状部
ｄ１  インサートナット雌ネジ部の内径寸法
ｄ２  インサートボルト雌ネジ部の内径寸法
ｄ３  棒状部の外径寸法
ｄ４  インサートナットねじ込み用雄ネジ部の外径寸法
ｄ５  インサートボルトねじ込み用雄ネジ部の外径寸法
【図１】
2006097437.tif 000003
【図２】
2006097437.tif 000004
【図３】
2006097437.tif 000005
【図４（ａ）（ｂ）（ｃ）（ｄ）（ｅ）】
2006097437.tif 000006
【図５】
2006097437.tif 000007
【図６】
2006097437.tif 000008
【図７】
2006097437.tif 000009
【図８】
2006097437.tif 000010
【図９（ａ）（ｂ）】
2006097437.tif 000011